(57)【要約】【課題】不正行為が行われた場合にメダルの払い出しを停止する。【解決手段】スロットマシンの内部下方に、ホッパー装置、格納タンクを設ける。貯留タンクに、抜出開口を形成する。貯留タンクの左側面に、シャッタを配設する。シャッタを、副制御基板に接続する。貯留タンクの上方であって供給筒の下方に、送出部材を配設する。送出部材を、副制御基板に接続する。副制御基板に、不正検出部を接続する。不正検出部は、スロットマシンに不正が行われたことを検出したときに、副制御基板に検出信号を出力する。副制御基板に、タイマを設ける。タイマは、検出信号が入力されたことに応答して、計時を開始する。副制御基板は、タイマにより計測された時間が、１分以上となったことに応答して、シャッタを開放位置に位置するように駆動するとともに、送出部材を送出位置に位置するように駆動する。【選択図】図７
2007236506.tif 000002
【特許請求の範囲】
【請求項１】
メダルを貯留する貯留タンクを有し、前記メダルの払い出しを行うための払出要求信号が入力されたときに、前記貯留タンク内に貯留した前記メダルを、メダル受け皿に払いだすホッパー装置を備えた遊技機において、
予め設定された不正行為が行われたか否かを検出し、前記不正行為を検出したときに検出信号を出力する不正検出手段と、
前記不正検出手段から前記検出信号が出力されたときに計時を開始する計時手段と、
前記計時手段による計測時間が予め設定された時間以上となったときに、前記貯留タンクに貯留されたメダルを、前記貯留タンクの外部であって前記メダル受け皿以外に抜き出す抜出手段と、を備えたことを特徴とする遊技機。
【請求項２】
前記計時手段による計測時間が予め設定された時間以上となったときに、前記貯留タンクにメダルを供給するメダル供給装置から供給されるメダルを、前記貯留タンクの外部であって前記メダル受け皿以外に送り出す送出手段を備えたことを特徴とする請求項１記載の遊技機。
【請求項３】
前記抜出手段は、
前記貯留タンクに形成された開口と、
前記開口を遮蔽する遮蔽位置と開放する開放位置との間で移動自在に設けられたシャッタと、を備えたことを特徴とする請求項１または２記載の遊技機。
【請求項４】
前記貯留タンク内部の底面を、前記開口に向けて下方に傾斜して形成したことを特徴とする請求項３記載の遊技機。
【請求項５】
前記抜出手段により抜き出されたメダルを格納する格納タンクを備えたことを特徴とする請求項１ないし４いずれか１つ記載の遊技機。
【発明の詳細な説明】
【技術分野】
【０００１】
本発明は、パチンコ店などの遊技場に設置して使用されるスロットマシンなどの遊技機に関するものである。
【背景技術】
【０００２】
本明細書中では遊技媒体としてメダルを用いて説明するが、遊技媒体としてはコインなど他の媒体も含む。
【０００３】
パチンコ店などの遊技場に設置して使用されるスロットマシンは、メダルに一定の価値が与えられて、ゲームを行って獲得したメダルを種々の景品に交換することができる。スロットマシンには、遊技を行って入賞を得たときに対価分に応じた枚数のメダルを払出口に払い出すためのホッパー装置が設けられている。
【０００４】
スロットマシンの制御を行う制御部は、メダルの払い出し信号が入力された場合（例えば、遊技を行って入賞を得たとき等）には、メダルを払出口に払い出す。
【０００５】
ところで、近年、正規の方法とは異なる方法によってメダルを獲得する不正行為が行われることがある。この不正行為の１つとして、払出口から針金等の異物を挿入してホッパー装置を誤動作させ、不正にホッパー装置からメダルを払い出させることがある。このため、払出口から異物を挿入されることを防止するスロットマシンが提案されている（例えば、特許文献１，２及び３参照）。
【特許文献１】特開２００５−１１０８４８号公報
【特許文献２】特開２００５−１１８３００号公報
【特許文献３】特開２００５−１１８４３８号公報
【発明の開示】
【発明が解決しようとする課題】
【０００６】
しかしながら、特許文献１〜３の遊技機（スロットマシン）では、不正行為を行う者が、メダル投入口からメダルの投入を不正に行う際に用いられる器具を挿入し、不正にメダルを獲得した場合にも、獲得したメダルの払い出しが行われる。不正行為によって一部の遊技者が不正に利益を得ることは、遊技場の利益に損失が生じるばかりか、公平な遊技を行うことができないことを理由に遊技者の遊技への興味を失わせてしまうこともあり、不正行為を防止する機能をスロットマシンに付加することは、スロットマシンメーカーにとって大きな課題の１つとなっている。
【０００７】
本発明は、上記課題を解決するためになされたものであり、不正行為が行われた場合にメダルの払い出しを停止することができる遊技機を提供することを目的とする。
【課題を解決するための手段】
【０００８】
上記目的を達成するために、本発明の遊技機は、メダルを貯留する貯留タンクを有し、前記メダルの払い出しを行うための払出要求信号が入力されたときに、前記貯留タンク内に貯留した前記メダルを、メダル受け皿に払いだすホッパー装置を備えた遊技機において、予め設定された不正行為が行われたか否かを検出し、前記不正行為を検出したときに検出信号を出力する不正検出手段と、前記不正検出手段から前記検出信号が出力されたときに計時を開始する計時手段と、前記計時手段による計測時間が予め設定された時間以上となったときに、前記貯留タンクに貯留されたメダルを、前記貯留タンクの外部であって前記メダル受け皿以外に抜き出す抜出手段と、を備えたことを特徴とする。
【０００９】
なお、前記予め設定された不正行為としては、メダル投入口にメダルの投入を不正に行う際に用いられる器具が挿入されることや、不正に前面扉が開放されること等が挙げられる。また、前記予め設定された時間は変更可能であることが好ましい。さらに、前記計時手段による計測時間をリセットするとともに計時を停止させるリセット手段を備えることが好ましい。また、前記リセット手段は、遊技場の管理者のみが操作可能で、遊技者が操作することができない位置（例えば、扉を開放したときに露呈する位置）に設けることが好ましい。
【００１０】
また、前記計時手段による計測時間が予め設定された時間以上となったときに、前記貯留タンクにメダルを供給するメダル供給装置から供給されるメダルを、前記貯留タンクの外部であって前記メダル受け皿以外に送り出す送出手段を備えることが好ましい。
【００１１】
さらに、前記抜出手段は、前記貯留タンクに形成された開口と、前記開口を遮蔽する遮蔽位置と開放する開放位置との間で移動自在に設けられたシャッタと、を備えることが好ましい。
【００１２】
また、前記貯留タンク内部の底面を、前記開口に向けて下方に傾斜して形成することが好ましい。さらに、前記抜出手段により抜き出されたメダルを格納する格納タンクを備えることが好ましい。
【００１３】
また、本発明の遊技機には、メダル以外に、通貨であるコインや、トークンなどの代用貨幣又はそれらに類似のものも使用することができる。
【発明の効果】
【００１４】
本発明の遊技機によれば、メダルを貯留する貯留タンクを有し、メダルの払い出しを行うための払出要求信号が入力されたときに、貯留タンク内に貯留したメダルを、メダル受け皿に払いだすホッパー装置と、予め設定された不正行為が行われたか否かを検出し、不正行為を検出したときに検出信号を出力する不正検出手段と、不正検出手段から検出信号が出力されたときに計時を開始する計時手段と、計時手段による計測時間が予め設定された時間以上となったときに、貯留タンクに貯留されたメダルを、貯留タンクの外部であってメダル受け皿以外に抜き出す抜出手段と、を備えたから、不正行為が行われ、不正検出手段から検出信号が出力された時間が予め設定された時間以上となったときには、貯留タンクに貯留されたメダルは貯留タンクの外部であってメダル受け皿以外に抜き出され、メダルの払い出しを行うことができなくなるため、不正にメダルを獲得される不正行為を確実に防止することができる。
【００１５】
また、計時手段による計測時間が予め設定された時間以上となったときに、貯留タンクにメダルを供給するメダル供給装置から供給されるメダルを、貯留タンクの外部であってメダル受け皿以外に送り出す送出手段を備えたから、不正にメダルを獲得される不正行為をより一層確実に防止することができる。
【００１６】
さらに、抜出手段は、貯留タンクに形成された開口と、開口を遮蔽する遮蔽位置と開放する開放位置との間で移動自在に設けられたシャッタと、を備えたから、簡単な構成で容易に、不正にメダルを獲得される不正行為を防止することができる。
【発明を実施するための最良の形態】
【００１７】
図１に示すように、遊技機の１実施例であるスロットマシン（遊技機）１０は、筐体１０ａの前面に表示窓１１が設けられており、表示窓１１の奥には、第１〜第３リール１２〜１４の一部が露呈している。筐体１０ａは、箱状の収納箱１０ｂと、収納箱１０ｂの前面側に開閉自在に取り付けられる前面扉１０ｃと、を備える。
【００１８】
周知のように、第１〜第３リール１２〜１４の外周には、複数種類の当選絵柄を含む絵柄が一定ピッチで配列され、１リールにつき３個の絵柄は、表示窓１１を通して観察することができる。
【００１９】
表示窓１１の下には、メダルを投入するためのメダル投入口１５、スタートレバー１６、リールの動作を停止させるための第１〜第３ストップボタン１７〜１９などが設けられている。前面扉１０ｃの下側端部の前側には、メダル受け皿２０が設けられ、前面扉１０ｃの下側端部の前面には、獲得したメダル２３をメダル受け皿２０に払い出す払出口２１が設けられている。
【００２０】
メダル投入口１５に所定枚数のメダルを投入してスタートレバー１６を操作すると、第１〜第３リール１２〜１４が一斉に回転する。その後、第１〜第３ストップボタン１７〜１９を順番に操作することで第１〜第３リール１２〜１４の回転が停止する。このとき、各リール毎に表示された絵柄を一個ずつ組み合わせてなる、例えば横３本斜め２本の合計５本の入賞有効ラインのうちのいずれかに、予め決められた絵柄が揃うことで、その入賞の対価に応じた枚数のメダルが払出口２１から払い出される。
【００２１】
図２に示すように、スロットマシン１０の内部下方には、ホッパー装置２２が設けられる。ホッパー装置２２には、前面下部に、メダル２３を払い出すためのホッパー出口２４が露呈して設けられている。ホッパー出口２４と払出口２１との間には案内通路２５が設けられており、ホッパー装置２２から払い出されるメダル２３はホッパー出口２４から案内通路２５を通って払出口２１に案内される。
【００２２】
図３に示すように、ホッパー装置２２は、貯留タンク２７と、メダル払出機構２８とを備えて構成されている。貯留タンク２７は、多数のメダル２３を貯留するものであり、上方のメダル溜め部２９から下方の供給口３０に向けてメダル２３を供給する。本実施形態では、貯留タンク２７は、メダル２３を５００枚程度貯留することができるサイズで形成されている。
【００２３】
貯留タンク２７は、その内部底面が、ホッパー出口２４を前面としたときの左側面に向かって下方に傾斜して形成されている。貯留タンク２７の左側面には、貯留タンク２７に貯留したメダル２３を格納タンク３４に抜き出すための抜出開口（開口）２７ａが形成されている。すなわち、貯留タンク２７の内部底面は、抜出開口２７ａに向けて下方に傾斜して形成されている。
【００２４】
メダル払出機構２８は、公知のように、回転自在なロータリディスク３１を備え、貯留タンク２７に貯留したメダル２３を、１枚ずつホッパー出口２４から払い出す。メダル払出機構２８は、スロットマシン１０の当選確率を変更する確率変更部が設けられた主制御基板３２に接続されており、主制御基板３２により駆動が制御される。メダル払出機構２８は、主制御基板３２から払出要求信号が入力されたことに応答して、メダル２３を払い出す。
【００２５】
図４、図５及び図６に示すように、スロットマシン１０の内部には、ホッパー装置２２のメダル払出機構２８の左側面及び後面を覆うように略Ｌ字状の格納タンク３４が配設されている。格納タンク３４は、抜出開口２７ａから抜き出されたメダル２３、及び後述する送出部材４４により送り出されたメダル２３を格納する。
【００２６】
貯留タンク２７の左側面には、抜出開口２７ａを遮蔽する遮蔽位置（図４及び図５（Ａ）参照）と、抜出開口２７ａを開放する開放位置（図５（Ｂ）及び図６参照）と、の間で上下方向に移動自在なシャッタ３５が配設されている。シャッタ３５は、スロットマシン１０に設けられたＬＥＤやスピーカ等の駆動を制御する副制御基板３６に接続されており、副制御基板３６により駆動が制御される。本実施形態では、貯留タンク２７に貯留されたメダル２３を、貯留タンク２７の外部であってメダル受け皿２０以外に抜き出す抜出手段は、抜出開口２７ａとシャッタ３５とを備えて構成されている。
【００２７】
副制御基板３６には、不正検出部（不正検出手段）３７が接続されている。不正検出部３７は、スロットマシン１０に不正（例えば、メダル投入口１５にメダルの投入を不正に行うための器具が挿入されることや、不正に前面扉１０ｃが開放されること等）が行われたか否かを検出するものである。不正検出部３７は、スロットマシン１０に不正が行われたことを検出したときには、副制御基板３６に検出信号を出力する。
【００２８】
副制御基板３６には、タイマ（計時手段）３８が設けられている。タイマ３８は、不正検出部３７から検出信号が入力されたことに応答して、計時を開始する。そして、副制御基板３６は、タイマ３８により計測された時間が、予め設定された時間（例えば、１分）以上となったことに応答して、シャッタ３５を開放位置に位置するように駆動する。シャッタ３５が開放位置に位置するときには、貯留タンク２７に貯留されたメダル２３は、抜出開口２７ａから抜き出され、格納タンク３４に格納される（図５（Ｂ）参照）。
【００２９】
一方、副制御基板３６は、不正検出部３７から検出信号が入力されていないとき、及びタイマ３８により計測された時間が１分未満であるときには、シャッタ３５を遮蔽位置に位置するように駆動する。
【００３０】
貯留タンク２７が空になった（貯留タンク２７内にメダル２３がない）場合には、メダル２３の払い出しを行うことができないため、スロットマシン１０が設置される遊技場の島設備には、貯留タンク２７にメダル２３を供給するメダル供給装置４１が配設されている。
【００３１】
図４及び図６に示すように、メダル供給装置４１の下流側の先端部である供給筒４２は、スロットマシン１０内部の貯留タンク２７の上方に配設されている。貯留タンク２７には、メダルセンサ（図示せず）が設けられており、メダルセンサは、貯留タンク２７に貯留されたメダル２３が設定量（例えば、１００枚）以下になったことに応答して、メダル供給装置４１にメダル供給信号を入力する。メダル供給装置４１は、メダル供給信号が入力されたことに応答して、貯留タンク２７にメダル２３を供給する。貯留タンク２７は、５００枚のメダル２３を貯留可能に形成されており、メダル供給装置４１は、メダル供給信号が入力されたことに応答して、貯留タンク２７に例えば３５０枚のメダル２３を供給する。メダル供給装置４１から供給されたメダル２３は、供給筒４２から貯留タンク２７に供給される。
【００３２】
貯留タンク２７の上方であって供給筒４２の下方には、供給筒４２から供給されたメダル２３を貯留タンク２７に貯留させる貯留位置（図４参照）と、供給筒４２から供給されたメダル２３を格納タンク３４に送り出す送出位置（図６参照）と、の間で前後方向に移動自在な送出部材４４が配設されている。送出部材４４は、副制御基板３６に接続されており、副制御基板３６により駆動が制御される。送出部材４４は、供給筒４２から供給されたメダル２３を受ける面が、ホッパー出口２４を前面としたときの左側面に向かって下方に傾斜して形成されている。これにより、送出部材４４が送出位置に位置するときに供給筒４２から供給されたメダル２３は、送出部材４４により格納タンク３４に向けて送り出される。
【００３３】
副制御基板３６は、タイマ３８により計測された時間が、予め設定された時間（１分）以上となったことに応答して、送出部材４４を送出位置に位置するように駆動する。送出部材４４が送出位置に位置するときには、供給筒４２から供給されたメダル２３は、格納タンク３４に送り出され、格納タンク３４に格納される。
【００３４】
一方、副制御基板３６は、不正検出部３７から検出信号が入力されていないとき、及びタイマ３８により計測された時間が１分未満であるときには、送出部材４４を貯留位置に位置するように駆動する。
【００３５】
スロットマシン１０内部には、タイマ３８により計測された時間をリセットするとともに計時を停止させるリセットボタン（図示せず）が設けられている。このリセットボタンを押圧操作すると、タイマ３８により計測された時間がリセットされるとともに、計時が停止される。リセットボタンは、遊技場の管理者のみが操作可能で、遊技者が操作することができない位置（例えば、前面扉１０ｃを開放したときに露呈する位置）に設けられている。これにより、不正を行う者により、タイマ３８の計測時間がリセットされることがない。
【００３６】
次に、上記のように構成されたスロットマシン１０の作用について、図７のフローチャートを用いて説明を行う。遊技者が遊技を行い、不正検出部３７から検出信号が入力されていない（スロットマシン１０に不正が行われていない）ときには、副制御基板３６は、シャッタ３５を遮蔽位置に位置するように駆動するとともに、送出部材４４を貯留位置に位置するように駆動する（ステップ（以下、Ｓ）１）。シャッタ３５が遮蔽位置に位置するときには、貯留タンク２７にはメダル２３が貯留される（図５（Ａ）参照）。送出部材４４が貯留位置に位置するときには、供給筒４２から供給されたメダル２３は、貯留タンク２７に貯留される（図４参照）。
【００３７】
不正検出部３７は、スロットマシン１０に不正が行われたか否かを検出し（Ｓ２）、スロットマシン１０に不正が行われたことを検出したときには、副制御基板３６に検出信号を出力する（Ｓ３）。
【００３８】
副制御基板３６は、検出信号が入力された（不正行為を行う者が不正行為を行い、不正にメダル２３を獲得しようとした場合）ことに応答して、タイマ３８による計時を開始する（Ｓ４）。次に、リセットボタンが操作されたか否かを検出する（Ｓ５）。リセットボタンが操作されなかった場合には、副制御基板３６は、タイマ３８により計測された時間が、予め設定された時間（例えば、１分）以上か否かを判定する（Ｓ６）。副制御基板３６は、タイマ３８により計測された時間が１分以上となったことに応答して、シャッタ３５を開放位置に位置するように駆動するとともに、送出部材４４を送出位置に位置するように駆動する（Ｓ７）。シャッタ３５が開放位置に位置するときには、貯留タンク２７に貯留されたメダル２３は、抜出開口２７ａから抜き出され、格納タンク３４に格納される（図５（Ｂ）及び図６参照）。送出部材４４が送出位置に位置するときには、供給筒４２から供給されたメダル２３は、送出部材４４により格納タンク３４に送り出され、格納タンク３４に格納される（図６参照）。
【００３９】
一方、副制御基板３６は、タイマ３８により計測された時間が１分未満であるとき（Ｓ６でＮ）には、シャッタ３５が遮蔽位置に位置し、送出部材４４が貯留位置に位置する状態を継続する。上述したように、シャッタ３５が遮蔽位置に位置するときには、貯留タンク２７にはメダル２３が貯留され、送出部材４４が貯留位置に位置するときには、供給筒４２から供給されたメダル２３は、貯留タンク２７に貯留される。
【００４０】
また、副制御基板３６に検出信号が入力され、タイマ３８による計時が開始された後に、リセットボタンが操作されたとき（Ｓ４でＹ）には、タイマ３８により計測された時間がリセットされる（Ｓ８）。副制御基板３６は、タイマ３８により計測された時間がリセットされたときには、シャッタ３５が遮蔽位置に位置し、送出部材４４が貯留位置に位置する状態を継続する。
【００４１】
このように、スロットマシン１０に不正が行われ、副制御基板３６に検出信号が入力されてから１分以上経過したとき（タイマ３８により計測された時間が１分以上）には、副制御基板３６は、シャッタ３５を開放位置に位置させ、貯留タンク２７に貯留されたメダル２３を、抜出開口２７ａから抜き出し、格納タンク３４に格納させるから、不正にメダル２３が獲得される不正行為を確実に防止することができる。
【００４２】
また、貯留タンク２７の内部底面を、抜出開口２７ａに向けて下方に傾斜して形成したから、シャッタ３５を開放位置に位置させたときに、メダル２３を、確実に抜出開口２７ａから抜き出し、格納タンク３４に格納させることができる。
【００４３】
さらに、スロットマシン１０に不正が行われ、副制御基板３６に検出信号が入力されてから１分以上経過したとき（タイマ３８により計測された時間が１分以上）には、副制御基板３６は、送出部材４４を送出位置に位置させ、供給筒４２から供給されたメダル２３を、送出部材４４により格納タンク３４に送り出し、格納タンク３４に格納させるから、不正にメダル２３が獲得される不正行為をより一層確実に防止することができる。
【００４４】
また、副制御基板３６は、タイマ３８により計測された時間が１分未満であるときには、シャッタ３５を遮蔽位置に位置するように駆動するとともに、送出部材４４を貯留位置に位置するように駆動するから、遊技場の管理者がスロットマシン１０の前面扉１０ｃを開放したとき等、不正検出部３７から副制御基板３６に検出信号が入力された場合にも、１分未満でリセットボタンを押圧操作することにより、前面扉１０ｃを閉じた後にも、シャッタ３５を遮蔽位置に、送出部材４４を貯留位置に、それぞれ位置させることができるため、通常の遊技に支障がでることがない。
【００４５】
なお、上記実施形態では、格納タンク３４を略Ｌ字状に形成したが、格納タンク３４の形状は適宜変更可能である。
【００４６】
また、上記実施形態では、シャッタ３５を、抜出開口２７ａを遮蔽する遮蔽位置と開放する開放位置との間で上下方向に移動自在に設けたが、これに限定されることなく、シャッタ３５は、抜出開口２７ａを遮蔽する遮蔽位置と開放する開放位置との間で移動自在であればよく、例えば、シャッタ３５を前後方向に移動自在に設けてもよい。
【００４７】
また、上記実施形態では、送出部材４４を、供給筒４２から供給されたメダル２３を格納タンク３４に送り出す送出位置と、供給筒４２から供給されたメダル２３を貯留タンク２７に貯留させる貯留位置と、の間で前後方向に移動自在に設けたが、これに限定されることなく、送出部材４４は、供給筒４２から供給されたメダル２３を格納タンク３４に送り出す送出位置と、供給筒４２から供給されたメダル２３を貯留タンク２７に貯留させる貯留位置と、の間で前後方向に移動自在であればよく、例えば、送出部材４４を左右方向に移動自在に設けてもよい。
【００４８】
さらに、上記実施形態では、副制御基板３６は、タイマ３８により計測された時間が１分以上となったことに応答して、シャッタ３５を開放位置に位置するように駆動するとともに、送出部材４４を送出位置に位置するように駆動したが、それに加えて、タイマ３８により計測された時間が１分以上となったことに応答して、副制御基板３６がスロットマシン１０に設けられたＬＥＤやスピーカ等を駆動して、不正行為が行われたことを報知するようにしてもよい。
【図面の簡単な説明】
【００４９】
【図１】本発明を実施したスロットマシンの外観を示す斜視図である。
【図２】スロットマシンの内部に設けたホッパー装置を示す斜視図である。
【図３】貯留タンクとメダル払出機構とシャッタとを示す斜視図である。
【図４】送出部材が貯留位置に位置するときの貯留タンクとメダル払出機構とシャッタと格納タンクとメダル供給装置と送出部材とを示す斜視図である。
【図５】貯留タンクとシャッタと格納タンクとを示す断面図である。
【図６】送出部材が送出位置に位置するときの貯留タンクとメダル払出機構とシャッタと格納タンクとメダル供給装置と送出部材とを示す斜視図である。
【図７】スロットマシンにおける遊技の流れを示すフローチャートである。
【符号の説明】
【００５０】
１０  スロットマシン（遊技機）
２０  メダル受け皿
２２  ホッパー装置
２３  メダル
２７  貯留タンク
２７ａ  抜出開口（開口）
２８  メダル払出機構
３４  格納タンク
３５  シャッタ
３６  副制御基板
３７  不正検出部（不正検出手段）
３８  タイマ（計時手段）
４１  メダル供給装置
４２  供給筒
４４  送出部材（送出手段）
【図１】
2007236506.tif 000003
【図２】
2007236506.tif 000004
【図３】
2007236506.tif 000005
【図４】
2007236506.tif 000006
【図５】
2007236506.tif 000007
【図６】
2007236506.tif 000008
【図７】
2007236506.tif 000009